(57)【要約】【課題】井戸修繕時に土砂引き上げ時の水の引き上げ量を出来る限り減らすと共に、硬い埋設土砂をも崩せるようにすること。【解決手段】有底筒状の回収ケースを井戸内に吊り下げ、回収ケースよりも下方に有する水噴射ノズルから下方と斜め上方に水噴射し、下方の噴射流で埋没土砂を飛散させ、斜め上方の噴射流で回収ケースの外側から上方に土砂を導いて回収ケース上側の口部から内部に土砂を水ごと取り込み、回収ケースの外面と底面の少なくとも一部に備わる透水フィルターによって外部に水を排出しつつ内部に土砂をためる井戸修繕方法及び井戸修繕装置。回収ケースの底が、噴射ノズルから斜め上方に向かう噴射角度に合わせてテーパー状に形成してあることを特徴とする井戸修繕装置。【選択図】      図１
2004353296.tif 000002
【特許請求の範囲】
【請求項１】
有底筒状の回収ケース（２）を井戸（Ｈ）内に吊り下げ、回収ケース（２）よりも下方に有する水噴射ノズル（５）から下方及び斜め上方に水を噴射し、下方に向かう噴射流で埋没土砂（２８）を飛散させ、斜め上方に向かう噴射流で回収ケース（２）の外側から上方に土砂を導いて回収ケース上側の口部（２２）から内部に土砂を水ごと取り込み、回収ケース（２）の外面と底面の少なくとも一部に備わる透水フィルター（７）によって外部に水を排出しつつ内部に土砂をためることを特徴とする井戸修繕方法。
【請求項２】
フレーム（６）の外側及び底側を被覆カバー（７）で覆って有底筒状の回収ケース（２）を形成し、被覆カバー（７）の少なくとも一部に透水フィルターを用い、回収ケース（２）内の上下に水供給パイプ（４）を通すと共に、水供給パイプ（４）に通じる水噴射ノズル（５）を回収ケース（２）よりも下方に備え、水噴射ノズル（５）からの水の噴射方向を下方及び斜め上方にしてあることを特徴とする井戸修繕装置。
【請求項３】
回収ケース（２）の底が、水噴射ノズル（５）から斜め上方に向かう噴射角度に合わせてテーパー状に形成してあることを特徴とする請求項２記載の井戸修繕装置。
【発明の詳細な説明】
【０００１】
【発明の属する技術分野】
本発明は、井戸内の埋没やストレーナー（取水口）の目づまり等に用いる井戸修繕方法に関する。
【０００２】
【従来の技術】
井戸は、スケール、水垢、泥土、砂によって、底が浅くなったりや目づまり等が起きた場合には、井戸としての機能を回復するために修繕をする。
【０００３】
従来の井戸修繕方法としては、エアーリフト方法、ベーリング方法が知られている（例えば、非特許文献１参照。）。エアーリフト方法は、井戸底に空気を入れて上昇流を起こし、その上昇流によって土砂及び水を一緒に排出する方法である。ベーリング方法は、ベーラーという汲み上げ容器を井戸に入れ、ベーラーを井戸底に押し付けて、ベーラーの底の弁から埋設土砂を取り込み、ベーラーを引き上げて土砂及び水を排出する方法である。
【０００４】
【非特許文献１】
監修：建設省北陸地方建設局道路部、「消・融雪施設の維持管理マニュアル」、発行：消・融雪施設の維持管理マニュアル検討委員会、平成８年３月、ｐ．４１−４４
【０００５】
【発明が解決しようとする課題】
井戸底を元通りの深さにするには、土砂を地上に引き上げれば良いのであるが、上記した二つの方法は何れも、土砂だけでなく水をも一緒に引き上げるので、引き上げ費用が高くなるし、引き上げ後に土砂と水を分離してから廃棄せねばならず、手間がかかる。また、上記した二つの方法は何れも、井戸底に溜まった埋没土砂が硬くなっている場合に、その硬い土砂を崩すことができず、その結果、井戸底を元通りの深さにできない。
【０００６】
本発明の井戸修繕方法及び井戸修繕装置は上記実情を考慮して創作されたもので、その解決しようとする課題は、土砂引き上げ時の水の引き上げ量を出来る限り減らすと共に、硬い埋設土砂をも崩せるようにすることである。
【０００７】
【課題を解決するための手段】
本発明のうち請求項１の発明は、有底筒状の回収ケースを井戸内に吊り下げ、回収ケースよりも下方に有する水噴射ノズルから下方及び斜め上方に水を噴射し、下方に向かう噴射流で埋没土砂を飛散させ、斜め上方に向かう噴射流で回収ケースの外側から上方に土砂を導いて回収ケース上側の口部から内部に土砂を水ごと取り込み、回収ケースの外面と底面の少なくとも一部に備わる透水フィルターによって外部に水を排出しつつ内部に土砂をためることを特徴とする井戸修繕方法である。
【０００８】
請求項２の発明は、フレームの外側及び底側を被覆カバーで覆って有底筒状の回収ケースを形成し、被覆カバーの少なくとも一部に透水フィルターを用い、回収ケース内の上下に水供給パイプを通すと共に、水供給パイプに通じる水噴射ノズルを回収ケースよりも下方に備え、水噴射ノズルからの水の噴射方向を下方及び斜め上方にしてあることを特徴とする井戸修繕装置である。
【０００９】
被覆カバーの少なくとも一部に透水フィルターを用いてあるので、透水フィルターから水が排出される。なお、被覆カバーの全部に透水フィルターを用いれば、効率よく排水できる。
【００１０】
回収ケースの底の角度は、噴射ノズルから斜め上方に向かう噴射角度と異なっていても良いが、斜め上方に向かう噴射流による上昇効果を高めるには、請求項３の発明のように、回収ケースの底が、水噴射ノズルから斜め上方に向かう噴射角度に合わせてテーパー状に形成してあることが望ましい。
【００１１】
【発明の実施の形態】
本発明の井戸修繕装置１は図２に示すように、有底筒状の回収ケース２の外側に井戸への出し入れ用のガイド３を設けると共に、回収ケース２よりも上方から下方に延びる水供給パイプ４を回収ケース２の中央部に支持し、回収ケース２よりも下方に位置する水供給パイプ４の下端に水噴射ノズル５を有するものである。
【００１２】
回収ケース２は図３に示すように、フレーム６の外側及び底側を被覆カバー７としての透水フィルターで覆って有底筒状に形成したものである。
【００１３】
フレーム６は、透水フィルター７を止める枠としての役割と、水供給パイプ４を支持する役割を兼備したものである。具体的には、円形の上枠８と下枠９の間に複数本の連結材１０を円周方向に間隔をあけて接続し、上枠８の内側中央部に上リング１１を有し、上リング１１と上枠８とを放射状に延びる上支持材１２で接続してある。同様に、下枠９の内側中央部に下リング１３を有し、下リング１３と下枠９とを放射状に延びる下支持材１４で接続してある。また、下リング１３の真下には底リング１５を有し、底リング１５と下枠９の間を斜材１６で接続してある。そして、水供給パイプ４を、上、下、底の各リング１１，１３，１５に通すと共に溶接等して水供給パイプ４をフレーム６に一体化してある。
【００１４】
水噴射ノズル５は図４に示すように、水供給パイプ４への接続用のネジ部１７を管状本体１８の上部に有し、プラグ１９を管状本体１８の下部にねじ込み、プラグ１９の中央部には、上下方向に貫通する小さな下向き孔２０をあけてある。同様に、管状本体１８の高さ中間部にも、斜め上向きに貫通する小さな斜め孔２１を円周方向に間隔をあけて設けてある。斜め孔２１の角度は、限定しないが、回収ケース２の底の角度と同じ角度とすることが、斜め孔２１からの噴射流で土砂を回収ケース２の外側から上方に導くには好ましい。また、斜め孔２１の傾斜角度を４５度とすることが、さらに好ましい。
【００１５】
透水フィルター７は、水を外部に排出しつつ土砂を内部にためるもので、フレーム６の外側に接着剤で貼り付けるか、ネジ等の留め具で着脱自在に止める。これによって、回収ケース２の周囲及び底が透水フィルター７で覆われ、回収ケース２の上端が、土砂を取り込む口部２２となる。なお、着脱自在に止めた場合は、透水フィルターの交換作業が迅速に行える。透水フィルターの具体的な一例としては、日本特殊織物株式会社が製造販売している製品名：ＰＥ１００ｍｅｓｈを用いている。ちなみに、その品質は以下の通りである。メッシュカウント：８３×６４（ｉｎｃｈ）、線径：１２２（ｍｉｃｒｏｎ）、オープニング：２２９（ｍｉｃｒｏｎ）、開口率：４３（％）、厚さ：２５５（ｍｉｃｒｏｎ）。
【００１６】
ガイド３は、フレーム６から外側に張り出したもので、上下に延びるバー２３と、バー２３の途中から内向きに突出してフレーム６に溶接等で接続する止め片２４とからなる。井戸Ｈへの回収ケース２の出入りを容易にするために、バー２３の上端部を内側に向かって斜め上向きに屈曲し、対称的にバー２３の下端部を内側に向かって斜め下向きに屈曲してある。この屈曲角度は限定しないが、いずれも４５度とすることが望ましい。ガイド３によって、回収ケース２外面と井戸Ｈ内面との隙間が確保され、この隙間を利用して土砂が上昇する。
【００１７】
水供給パイプ４は図１に示すように、その上端部を超高圧洗浄車２５のホース２６に接続する。超高圧洗浄車２５は、例えば、２６０ｋｇ／ｃｍ２の噴射圧で水を噴射するもので、タンク内の水を高圧プランジャーポンプでホース２６、水供給パイプ４の順に送り込む。ホース２６には後述するように井戸修繕装置１を吊り下げる力が加わるので、吊り下げに耐えられる強度を有するものを用いる。
【００１８】
図１を参照しながら上述した本発明の井戸修繕装置１の使用方法を説明する。まず、井戸修繕装置１の水供給パイプ４を超高圧洗浄車２５のホース２６に接続する。そして、クレーン車等（図示省略）を用いて井戸修繕装置１を井戸Ｈ内の上部に降ろして吊り下げて支持する。続いて、井戸Ｈの上部に滑車２７を支え（図示省略）によって支持し、滑車２７にホース２６をかける。ホース２６を徐々に超高圧洗浄車２５から引き出して、井戸修繕装置１を井戸Ｈの底に向かって降ろしていく。井戸底に近づいたら、超高圧洗浄車２５から高圧水を井戸修繕装置１に送り込み、水噴射ノズル５から下方及び斜め上方に向かって水を噴射させる。井戸底にたまっている埋没土砂２８は柔らかかろうが、硬く締まっていようが、下向きの噴射流によって飛散する。下向きの噴射水によって井戸底に対流が発生するので、噴射方向の真下部分でなくとも埋没土砂２８は飛散する。また、斜め上向きの噴射流が上昇流として機能することで、飛散した土砂が井戸Ｈ内面と回収ケース２外面の間を通過して上昇し、回収ケース上端の口部２２から土砂が水と一緒に取り込まれる。埋没土砂がなくなれば、超高圧洗浄車２５を駆動してホース２６を巻き取り、井戸修繕装置１を引き上げる。水に浸かっている井戸修繕装置１を引き上げる際にも、水噴射ノズル５から水を噴射することで、斜め上向きの噴射流によって、土砂が水と一緒に回収ケース２の口部２２から取り込まれるだけでなく、ストレーナ等の井戸内面についた水垢もとれ、水垢も水と一緒に回収ケースの口部２２から内部に取り込まれる。なお、引き上げの際に水噴射ノズル５から水を噴射しないと、水供給パイプ４が水圧で潰れて破損するおそれがある。また、回収ケース２を井戸Ｈに溜まった水面よりも引き上げると、透水フィルター７から水が排出され、内部に土砂や水垢等の異物が取り込まれる。
【００１９】
本発明は上記実施形態に限定されない。例えば、井戸修繕装置１のフレーム６にフックを付けてもよい。この場合、地上でウィンチを支持し、ウィンチのワイヤをフックに引っ掛けて、井戸修繕装置１を上昇・下降させることで、ホースにかかる吊り下げ力を小さくできる。また、ガイド３は、溶接せずにネジ等を用いることで着脱可能に設けても良い。
【００２０】
【発明の効果】
本発明の請求項１と２の発明は、下方への噴射水流によって井戸底に対流を発生させ、埋没土砂を飛散させる。従って、埋没土砂が硬いものであっても、噴射流によって埋没土砂を砕くことができる。また、有底筒状の回収ケースの透水フィルターから外部に水を排出するので、土砂引き上げ時の水の引き上げ量が従来よりも減り、土砂等と水を分離する作業が容易になる。回収ケースの外面全域に透水フィルターを用いた場合は、土砂等と水を分離する作業が殆ど不要となる。
【００２１】
請求項３の発明は、回収ケースの底が噴射ノズルから斜め上方に向かう噴射角度に合わせてテーパー状に形成してあるので、斜め上方に向かう噴射流が回収ケースの底に沿うことになって土砂の上昇効果が高まり、土砂の回収時間を短縮できる。
【図面の簡単な説明】
【図１】本発明の井戸修繕方法を示す断面図である。
【図２】本発明の井戸修繕装置を示す斜視図である。
【図３】フレーム、水供給パイプ、噴射ノズルの配置関係を示す斜視図である。
【図４】（イ）（ロ）噴射ノズルの断面図、Ａ−Ａ線断面図である。
【符号の説明】
２  回収ケース
４  水供給パイプ
５  水噴射ノズル
６  フレーム
７  被覆カバー（透水フィルター）
２２  口部
２８  埋没土砂
Ｈ  井戸
【図１】
2004353296.tif 000003
【図２】
2004353296.tif 000004
【図３】
2004353296.tif 000005
【図４】
2004353296.tif 000006